(57)【要約】【課題】カップに対してシール性を確保しつつ且つ安定した姿勢で固定されるスパウトを提供する。【解決手段】液体を収容し開口をフィルムＦで封止されたカップＣに装着されるスパウトＳにおいて、フィルムＦを破って孔を開け、該スパウトＳがカップＣに固定された装着位置でカップ内側に配置される穿孔部と、フィルムＦに形成された孔を介してカップ内の液体を導出する注出口１３と、フィルムＦの上に圧接されるシール部と、カップＣの縁部に当接し、シール部の反発力に抗して装着位置でのスパウトＳの姿勢を保持する姿勢保持手段とを備えた。【選択図】図１
2013124130.tif 000002
【特許請求の範囲】
【請求項１】
液体を収容し開口をフィルムで封止されたカップに装着されるスパウトにおいて、
前記フィルムを破って孔を開け、該スパウトがカップに固定された装着位置でカップ内側に配置される穿孔部と、
前記フィルムに形成された孔を介して前記カップ内の液体を導出する注出口と、
前記フィルムの上に圧接されるシール部と、
前記カップの縁部に当接し、前記シール部の反発力に抗して装着位置でのスパウトの姿勢を保持する姿勢保持手段とを備えたことを特徴とするスパウト。
【請求項２】
前記姿勢保持手段は、
前記カップの縁部に設けられた鍔部上面に当接し弾性変形する挟持片と
前記装着位置で前記カップの鍔部に掛止する爪部とを有し、
前記爪部及び前記挟持片により前記シール部の反発力に抗して前記カップの鍔部を固定する請求項１に記載のスパウト。
【請求項３】
前記挟持片は、その先端部に、前記カップの鍔部に対して頭頂部で当接する押圧部を備えた請求項２に記載のスパウト。
【請求項４】
前記挟持片は、傾斜した前記シール部に連続して形成され、基端部と該シール部との間に変曲部を有する請求項２又は３に記載のスパウト。
【請求項５】
前記姿勢保持手段は、
装着位置で前記カップの外側に配置される壁部から突出し前記装着位置にてカップの縁部の側壁をカップ径方向内側へ向かって押圧する支持部を有する請求項１に記載のスパウト。
【請求項６】
前記シール部は、前記装着位置にてカップ径方向内側に傾斜する請求項１〜５のいずれか１項に記載のスパウト。
【請求項７】
前記装着位置で前記フィルムの上方に配置される台座と、
前記台座から上方に向かって突出形成された１対の摘み部を備えた請求項１〜６のいずれか１項に記載のスパウト。
【発明の詳細な説明】
【技術分野】
【０００１】
この発明は、液体を収容したカップ内の開口を封止したフィルムを穿孔するとともにカップに固定されて飲み口として使用されるスパウトに関する。
【背景技術】
【０００２】
従来より、飲料を収容したカップの開口に、フィルムを固着して、飲料を気密状態に封止した製品が製造及び販売されている。この種のカップは、収容した飲料が冷却された状態で販売されており、カップ内の飲料を飲む際には、フィルムにストローを突き刺し、ストローを介して飲料を吸引する。
【０００３】
一方、カップに入れられた温かい飲料を飲む場合には、ストローを介した吸引量を制御しにくい等の理由から、ストローの使用は適さない。このため、温かい飲料を上記構成のカップに封入した場合にも好適に使用できるスパウト構造が要請されていた。
【０００４】
例えば特許文献１には、フィルム（密封シート）を押し切るスパウト構造を備えたオーバーキャップ付き容器が記載されている。このオーバーキャップは、フィルムの外側を覆うようにカップに装着されるものであって、容器本体の口部を全面にわたって覆い隠す天面壁を備える。また、この天面壁には、注出筒体が、ヒンジを介して揺動可能に保持されている。注出筒体は、ヒンジを起点とする引き起こしによって、天面壁に形成された貫通開口からその下方に挿入され、天面壁の下方に配置されたフィルムを押し切る。引き起こされた注出筒体は、注出筒体の外側面に形成された係合突起と、天面壁の貫通開口の縁部とを当接させて、その引き起こされた姿勢を保つようにする。
【先行技術文献】
【特許文献】
【０００５】
【特許文献１】特開２００９−１７９３４８号公報
【発明の概要】
【発明が解決しようとする課題】
【０００６】
しかし、上述したスパウト構造では、注出筒体は、オーバーキャップに対し、係合突起と縁部の基端とを当接させるのみで、引き起こされた姿勢を保つようにしているため、例えば注出筒体に対しカップ内側へ押圧するような力が加わった場合には、係合突起と凹部との係合が解除されてしまう可能性がある。係合突起と凹部との係合が解除されると、ヒンジを起点として、注出筒体が、カップ内側へ向かって傾動するため、カップから飲料を飲みにくくなる虞がある。また、注出筒体が傾くとカップ内の飲料が漏れ出す可能性があり、注出筒体とカップとのシール性については未だ改良の余地があった。従って、カップに対するシール性が高く、安定した姿勢で固定されるスパウトが要請されていた。
【０００７】
本発明は、上記問題点に鑑みてなされたものであり、その目的は、カップに対してシール性を確保しつつ且つ安定した姿勢で固定されるスパウトを提供することにある。
【課題を解決するための手段】
【０００８】
上記問題点を解決するために、請求項１に記載の発明は、液体を収容し開口をフィルムで封止されたカップに装着されるスパウトにおいて、前記フィルムを破って孔を開け、該スパウトがカップに固定された装着位置でカップ内側に配置される穿孔部と、前記フィルムに形成された孔を介して前記カップ内の液体を導出する注出口と、前記フィルムの上に圧接されるシール部と、前記カップの縁部に当接し、前記シール部の反発力に抗して装着位置でのスパウトの姿勢を保持する姿勢保持手段とを備えたことを要旨とする。
【０００９】
請求項１に記載の発明によれば、穿孔部によってフィルムに孔を開けるとともに、爪部と挟持片とによりスパウトをカップに固定するため、カップを傾けることにより、フィルムに開けられた孔を介して導出された液体を、注出口から啜ることができる。さらに、シール部がフィルムに圧接されるため、スパウトとフィルムとの隙間を介した液体の漏出を抑制することができる。また、フィルムに圧接したシール部の反発力によりスパウトは傾きやすくなるが、姿勢保持手段により、カップに装着された位置で安定した姿勢を保つことができる。このため、カップ内の液体を飲みやすくすることができる。
【００１０】
請求項２に記載の発明は、請求項１に記載のスパウトにおいて、前記姿勢保持手段は、前記カップの縁部に設けられた鍔部上面に当接し弾性変形する挟持片と前記装着位置で前記カップの鍔部に掛止する爪部とを有し、前記爪部及び前記挟持片により前記シール部の反発力に抗して前記カップの鍔部を固定することを要旨とする。
【００１１】
請求項２に記載の発明によれば、姿勢保持手段は、カップの鍔部を固定する爪部と挟持片とにより構成される。このため、スパウトをカップに装着することで、カップを変形させることなく、スパウトの姿勢を安定させることができる。
【００１２】
請求項３に記載の発明は、請求項２に記載のスパウトにおいて、前記挟持片は、その先端部に、前記カップの鍔部に対して頭頂部で当接する押圧部を備えたことを要旨とする。
請求項３に記載の発明によれば、挟持片の先端には、その頭頂部でカップ鍔部に当接する押圧部が備えられているため、押圧部の頭頂部を介してカップ鍔部に集中的に押圧力を付与できる。このため、爪部と挟持片とによりカップ鍔部を強固に挟持し、スパウトの姿勢を安定させることができる。
【００１３】
請求項４に記載の発明は、請求項２又は３に記載のスパウトにおいて、前記挟持片は、傾斜した前記シール部に連続して形成され、基端部と該シール部との間に変曲部を有することを要旨とする。
【００１４】
請求項４に記載の発明によれば、挟持片はシール部との間に変曲部を有するので、変曲部を起点として弾性変形しやすくなる。従って、スパウト装着時に、挟持片を弾性変形させるために大きな力を加える必要がない。
【００１５】
請求項５に記載の発明は、請求項１に記載のスパウトにおいて、前記姿勢保持手段は、装着位置で前記カップの外側に配置される壁部から突出し前記装着位置にてカップの縁部の側壁をカップ径方向内側へ向かって押圧する支持部を有することを要旨とする。
【００１６】
請求項５に記載の発明によれば、姿勢保持手段は、カップ径方向内側へ押圧する支持部により構成される。このため、スパウトがカップ外側へ傾くのを防ぐことができる。
請求項６に記載の発明は、請求項１〜５のいずれか１項に記載のスパウトにおいて、前記シール部は、前記装着位置にてカップ径方向内側に傾斜することを要旨とする。
【００１７】
請求項６に記載の発明によれば、シール部は、カップ径方向内側に傾斜しているため、スパウトをカップに装着した際に、カップ鍔部側に比べて、カップ内へ沈みやすい中央部のフィルムにもシール部を圧接することができる。
【００１８】
請求項７に記載の発明は、請求項１〜６のいずれか１項に記載のスパウトにおいて、前記装着位置で前記フィルムの上方に配置される台座と、前記台座から上方に向かって突出形成された１対の摘み部を備えたことを要旨とする。
【００１９】
請求項７に記載の発明によれば、装着位置でフィルムの上方に配置される台座に摘み部が形成されているため、スパウトを装着する際は、摘み部を指で把持し、そのままカップに差し込めばよい。このため、穿孔部等、カップ内の液体に接触する箇所に手を触れずに、スパウトをカップに装着することができる。
【図面の簡単な説明】
【００２０】
【図１】本発明を具体化した第１実施形態のスパウトであって、カップに固定された状態を示す斜視図。
【図２】同スパウトを正面側からみた斜視図。
【図３】同スパウトの正面図。
【図４】同スパウトの側面図。
【図５】同スパウトを図３中Ａ−Ａ線で切断した断面図。
【図６】同スパウトの下面図。
【図７】同スパウトに備えられる挟持部を拡大した端面図。
【図８】同スパウトをカップに装着する際の穿孔開始状態を示す断面図。
【図９】同スパウトをカップに装着する際の穿孔中の状態を示す断面図。
【図１０】同スパウトがカップに装着された状態を示す断面図。
【図１１】カップに装着された同スパウトの断面図。
【図１２】スパウトが装着されたカップを傾けた状態を示す断面図。
【図１３】本発明を具体化した第２実施形態のスパウトであって、カップに固定された状態を示す斜視図。
【図１４】同スパウトを正面側からみた斜視図。
【図１５】同スパウトを背面側からみた斜視図。
【図１６】同スパウトの正面図。
【図１７】同スパウトを図１６中Ｃ−Ｃ線で切断した断面図。
【図１８】同スパウトを手で把持した状態を示す斜視図。
【図１９】同スパウトをカップに装着する際の穿孔開始状態を示す断面図。
【図２０】同スパウトをカップに装着する際の穿孔中の状態を示す断面図。
【図２１】同スパウトがカップに装着された状態を示す断面図。
【図２２】スパウトが装着されたカップを傾けた状態を示す断面図。
【発明を実施するための形態】
【００２１】
（第１実施形態）
以下、本発明のスパウトを具体化した一実施形態を図１〜図１２にしたがって説明する。
【００２２】
図１に示すように、本実施形態のスパウトＳは、飲料を収容したカップＣに対して装着され、カップＣを傾けて飲料を啜るために使用されるものである。カップＣは、飲料を収容したカップ本体Ｂと、カップ本体Ｂの上部開口を、ポリエチレンテレフタレート（ＰＥＴ）等の切り裂き可能なフィルムＦで封止した構成である。カップ本体Ｂは、カップＣの縁部の開口部に、外側に向かって突き出したカップ鍔部Ｃ１を有している。カップ鍔部Ｃ１の上面は、数ｍｍ〜十数ｍｍの幅を有し、フィルムＦの周縁は、このカップ鍔部Ｃ１の上面に対し熱溶着又は接着剤により固着されることで、カップＣに張設されている。このスパウトＳは、飲料を飲む前に、フィルムＦの一部に固定され、使用後はカップＣから取り外すことができる。尚、スパウトＳがカップＣに装着された際に、カップＣの径方向内側を向く面を正面、径方向外側の面を背面とし、フィルムＦの上面側となる面を平面、カップ底面側を向く面を下面とする。
【００２３】
スパウトＳは、ポリプロピレン（ＰＰ）、ポリエチレンテレフタレート（ＰＥＴ）、ポリエチレン（ＰＥ）等の樹脂からなり、射出成形等により成形されている。
図２に示すように、スパウトＳは、スパウトＳがカップＣに固定された装着位置で、フィルムＦの上方に配置される台座１１を備えている。台座１１は、平面視において、略三角形状であって、その正面側に円弧状に湾曲した１対の窪み１１ａを備えている。また、台座１１の背面側は、カップ鍔部Ｃ１の形状に沿って湾曲している。
【００２４】
また、台座１１の略中央には、注出口１３が形成されている。注出口１３の内側には台座１１を貫通する導出孔１２が形成されている。注出口１３のうち、最も上方に突出した背面側の壁部は、飲料を飲む際に口が付けられる接触部１３ａを構成する。
【００２５】
図３に示すように、台座１１の背面側には、１対の背壁部１４が設けられている。背壁部１４は、台座１１に対して略垂直な方向に延び、正面視において略長方形状をなしている。スパウトＳが装着位置にあるとき、各背壁部１４はカップＣの外側に配置される。
【００２６】
背壁部１４の略中央には、姿勢保持手段を構成する爪部１５が形成されている。爪部１５は、正面側且つ斜め上方に向かって突出している。また、爪部１５の周囲には切欠き１６が形成され、爪部１５は正面側及び背面側に撓むことができる。
【００２７】
また、図３に示すように、台座１１の下面の略中央には、筒状の穿孔部１７が形成されている。穿孔部１７は、台座１１を貫通した導出孔１２を取り囲む大きさを有し、台座１１に対して略垂直に延びている。また、図４に示すように、穿孔部１７の先端は、先細り形状であって、その開口部１７ａは、正面側から背面側へ向かって傾斜している。即ち、穿孔部１７は、背面側の高さが正面側の高さよりも大きくなっている。この穿孔部１７と爪部１５との間には、カップ鍔部Ｃ１が挿入可能な隙間が設けられている。
【００２８】
図３に示すように、穿孔部１７は、その背面側に溝部１７ｂを有している。溝部１７ｂは、穿孔部1７の先端から中央部付近まで穿孔部１７の高さ方向に延びている。また、図５に示すように、溝部１７ｂの終端であって、溝部１７ｂが形成されていない穿孔部１７の側壁との間には、スリット１７ｃが形成されている。
【００２９】
また、図３に示すように穿孔部１７の基端側には、シール部１８が形成されている。シール部１８は、穿孔部１７の基端部の周方向において外側に向かって鍔状に張り出している。さらに、シール部１８は、その正面側の先端が背面側の先端よりも下方に位置するような傾斜した形状を有している。そのため、スパウトＳをカップＣに装着した際に、カップ鍔部側に比べて、カップ内へ沈みやすい中央部のフィルムＦにもシール部１８を圧接することができる。またシール部１８は、他の部位よりも薄肉化されている。
【００３０】
図６に示すように、このシール部１８の背面側からは、姿勢保持手段を構成する挟持片２０が片持ち梁状に形成されている。図７に示すように、挟持片２０は、台座１１の下面と略平行な方向に延出され、その基端部と傾斜したシール部１８との間に変曲部２０ａを有している。変曲部２０ａは、シール部１８の傾斜方向から角度が変わる部分である。また、挟持片２０の先端部の下面には、断面半球状の押圧部２０ｂが形成されている。
【００３１】
このように、スパウトＳは、フィルムＦ全域を覆うような容器一体型の蓋部ではなく、カップＣとは独立したアタッチメントとして機能するので、小型化することができる。このため、スパウトＳに使用される樹脂量を減らすことができるので、コストを低減することができる。
【００３２】
次に本実施形態のスパウトの作用について図８〜図１２に従って説明する。まず図８に示すように、穿孔部１７の先端をフィルムＦに突き刺す。さらにスパウトＳをカップＣに対して押し込むと、穿孔部１７が先細り形状とされていることから、穿孔部１７が深く差し込まれるに伴い、フィルムＦに形成された孔がカップ径方向内側に拡大されていく。
【００３３】
さらにスパウトＳをカップＣに対して押し込むと、図９に示すように、穿孔部１７が、カップＣの深さ方向に挿入され、背壁部１４がカップ鍔部Ｃ１の外側に当接する。この際、背壁部１４とカップ鍔部Ｃ１との当接により、スパウトＳがぐらつかないので、スパウトＳを差込みやすくすることができる。
【００３４】
爪部１５がカップ鍔部Ｃ１の外側に当接すると、爪部１５は外側に反るように撓む。そして、爪部１５の反力に抗して、スパウトＳをカップ深さ方向に押し込むと、カップ鍔部Ｃ１から爪部１５に付与されていた押圧力が解除され、爪部１５は復元力により元の形状に戻る。その結果、カップ鍔部Ｃ１の下面に爪部１５が掛止される。
【００３５】
その結果、図１０に示すように、スパウトＳが装着位置に配置される。爪部１５は、カップ鍔部Ｃ１の下面に掛止され、カップ鍔部Ｃ１を押し上げるように押圧する。また、シール部１８は上方に反るように変形して、カップ鍔部Ｃ１に固着されたフィルムＦに圧接された状態になる。また、シール部１８の正面側は、カップ開口部に張設されたフィルムＦの上面に圧接され、フィルムＦを撓ませる。このように、シール部１８は、フィルムＦに対して圧接されるので、シール部１８は若干拡開するように撓む。このため、シール部１８が元の形状に復元しようとする反発力により、シール部１８と爪部１５との挟持のみではスパウトＳがカップ外側に傾きやすくなる。
【００３６】
一方、図１１に示すように、挟持片２０は、その押圧部２０ｂの頭頂部がカップ鍔部Ｃ１に当接し、カップ鍔部Ｃ１に押圧力を集中的に付与する。また、挟持片２０は、変曲部２０ａを起点に上方に反るように弾性変形する。従って、爪部１５による押し上げ及び挟持片２０の弾性変形により、カップ鍔部Ｃ１が挟持されるので、シール部１８の反発力を受けてもスパウトＳの姿勢を安定させることができる。
【００３７】
カップ内の飲料を飲む際には、図１２に示すように、スパウトＳ側にカップＣを傾ける。すると、導出孔１２を介して、飲料が注出口１３に導出されるので、接触部１３ａに口を付けて飲料を飲むことができる。この際、穿孔部１７とカップ内側面との間に溜まった飲料Ｌも、カップＣを大きく傾けることにより、スリット１７ｃを介して、注出口１３から導出することができる。
【００３８】
使用後は、スパウトＳをカップＣから取り外すことができる。この際、爪部１５をカップ鍔部Ｃ１から離間させるように外側に反らせ、爪部１５とカップ鍔部Ｃ１の掛止を解除する。そして、スパウト全体をカップＣから上方に引き抜く。
【００３９】
従って、第１実施形態によれば、以下の効果を得ることができる。
（１）第１実施形態では、穿孔部１７によってフィルムＦに孔を開けるとともに、爪部１５と挟持片２０とによりスパウトＳをカップＣに固定するため、カップＣを傾けることにより、フィルムＦに開けられた孔を介して導出された飲料Ｌを、注出口１３から啜ることができる。さらに、シール部１８がフィルムＦに圧接されるため、スパウトＳとフィルムＦとの隙間を介した飲料の漏出を抑制することができる。また、シール部１８がフィルムＦに圧接されることによるシール部１８の反発力によりスパウトＳは傾きやすくなるが、爪部１５と挟持片２０とのカップ鍔部Ｃ１の挟持により、カップＣに装着された位置で安定した姿勢を保つことができる。このため、カップ内の飲料を飲みやすくすることができる。
【００４０】
（２）第１実施形態では、スパウトの装着位置にて、挟持片２０はカップ鍔部Ｃ１に当接して上方に反るように弾性変形する。また、挟持片２０の先端には断面略半球状の押圧部２０ｂが備えられているため、押圧部２０ｂの頭頂部にてカップ鍔部Ｃ１に集中的に押圧力を付与できる。このため、爪部１５と挟持片２０とによりカップ鍔部Ｃ１を強固に挟持し、スパウトＳの姿勢を安定させることができる。
【００４１】
（３）第１実施形態では、挟持片２０は、シール部１８との間に変曲部２０ａを有する。このため、挟持片２０が、シール部１８と同じ傾斜角度で傾斜するよりも、変曲部２０ａを起点として弾性変形しやすくなる。従って、スパウトＳを装着するために大きな力を加える必要がない。
【００４２】
（４）第１実施形態では、シール部１８は、カップ径方向内側に傾斜しているため、スパウトＳをカップに装着した際に、カップ鍔部側に比べて、カップ内へ沈みやすい中央部のフィルムにもシール部１８を圧接することができる。
（第２実施形態）
以下、本発明のスパウトを具現化した第２実施形態について、図１３〜図２２に従って説明する。尚、第２実施形態は、第１実施形態のスパウトのうち、姿勢保持手段及びスパウトを把持する部材を変更したのみの構成であるため、同様の部分についてはその詳細な説明を省略する。
【００４３】
図１３に示すように、第２実施形態のスパウトＳは、第１実施形態と同様に、飲料を収容したカップＣの一部に対して装着され、カップＣを傾けて飲料を啜るために使用されるものである。
【００４４】
図１４に示すように、スパウトＳは、スパウトＳがカップＣに固定された装着位置で、フィルムＦの上方に配置される台座３１を備えている。台座３１の略中央には、導出孔３２が貫通形成されている。
【００４５】
この台座３１の上面には、導出孔３２を囲むように注出口３３が形成されている。台座３１は、導出孔３２を囲む略筒状に形成され、その先端は、背面から正面にかけて滑らかに傾斜している。注出口３３のうち、最も上方に突出した背面側の壁部は、飲料を飲む際に口が付けられる接触部３３ａを構成する。
【００４６】
また、台座３１の背面側には、背壁部３４が設けられている。背壁部３４は、台座３１に対して略垂直な方向に延び、正面視において略長方形状をなし、平面視においてカップ鍔部Ｃ１の形状に合わせて湾曲した円弧形状を有している。この背壁部３４は、スパウトＳが装着位置にある際にはカップＣの外側に配置される。
【００４７】
図１５に示すように、この背壁部３４のうち幅方向の略中央には、背壁部３４を切り欠くように固定爪３５が形成されている。固定爪３５は、背面からみて長方形状をなし、基端部のみが背壁部３４に固定され、正面側に弾性変形可能に形成されている。図１７に示すように、固定爪３５は、背壁部３４から突出し、断面略三角形状をなしている。
【００４８】
また、図１７に示すように、背壁部３４の正面であって、その先端には、該正面に対して略垂直に延出された支持部３６が突出形成されている。図１６に示すように、支持部３６は、背壁部３４に対して１対形成され、支持部３６の先端の両側にそれぞれ形成されている。
【００４９】
また、図１６に示すように、台座３１の下面には、筒状の穿孔部３７が形成されている。穿孔部３７は、導出孔３２を取り囲む大きさを有し、台座３１から略垂直に延びている。また、図１７に示すように、穿孔部３７の先端は、先細り形状であって、その開口部は、正面側から背面側へ向かって斜めに傾斜している。即ち、穿孔部３７は、背面側の高さが正面側の高さよりも大きくなっている。また、図１７に示すように、穿孔部３７の基端部から背壁部３４の正面までの幅Ｗは、カップ鍔部Ｃ１の幅よりも小さい。
【００５０】
また、穿孔部３７の基端側には、シール部３８が形成されている。シール部３８は、穿孔部３７の基端部の周方向において外側に向かって鍔状に張り出している。さらに、シール部３８は、その正面側の先端が背面側の先端よりも下方に位置するような傾斜した形状を有している。また、図１７に示すように、シール部３８の先端と固定爪３５との間の高さｈは、カップ鍔部Ｃ１の厚みよりも小さくなっている。
【００５１】
また、図１４に示すように、台座３１には、一対の摘み部４０が形成されている。摘み部４０は、上方に突出するように形成され、台座３１の両側に配置されている。また、各摘み部４０の中央は、内側（注出口３３側）に向かって窪み、摘み部４０を指で把持する際に、指の腹が密着しやすいような形状となっている。
【００５２】
次に第２実施形態のスパウトの作用について図１８〜図２２に従って説明する。まず図１８に示すように、スパウトＳをカップＣに装着する際には、摘み部４０を、指で外側から把持し、台座３１がフィルムＦに対して略平行となるようにする。
【００５３】
そして、図１９に示すように、背壁部３４とカップ鍔部Ｃ１の外側とを当接させながら、穿孔部３７の先端をフィルムＦに突き刺す。この際、背壁部３４とカップＣの外側面との当接により、スパウトＳがぐらつかないので、穿孔が開始されやすい。さらにスパウトＳをカップＣに対して押し込むと、穿孔部３７が先細り形状とされていることから、穿孔部３７が深く差し込まれるに伴い、フィルムＦに形成された孔がカップ径方向内側に拡大されていく。
【００５４】
また背壁部３４は、カップ外側に配置され、支持部３６はカップＣの縁部のカップ側壁に当接する。この際、摘み部４０を指で把持しスパウトＳを押し込むことができるので、スパウトＳに押圧力を付与しやすい。また、摘み部４０を設けることで、スパウトＳの装着時に、穿孔部３７等、カップ内側に挿入される箇所には手が触れない。
【００５５】
図２０に示すように、固定爪３５がカップ鍔部Ｃ１の外側に当接するまでスパウトＳを押し込むと、上述したように固定爪３５と穿孔部３７の基端部との間の幅は、カップ鍔部Ｃ１の幅よりも小さいことから、固定爪３５はカップ鍔部Ｃ１から外側へ向かう押圧力を受ける。その結果、背壁部３４は、外側に大きく反る。また、上述したように、シール部１８は、その正面側の先端が背面側の先端よりも下方に位置するような傾斜した形状を有しているため、スパウトＳをカップＣに装着した際に、カップ鍔部側に比べて、カップ内へ沈みやすい中央部のフィルムＦにもシール部１８を圧接することができる。
【００５６】
図２１に示すように、固定爪３５がカップ鍔部Ｃ１を越えるまでスパウトＳを押し込むと、背壁部３４の復元力により背壁部３４の大きな反りが解除される。このとき、固定爪３５が、カップ鍔部Ｃ１をシール部３８へ押圧する。その結果、シール部３８によってカップ鍔部Ｃ１が上下方向に挟持される。上述したように、固定爪３５とシール部３８の先端との間隙は、カップ鍔部Ｃ１の厚みよりも若干小さいため、シール部３８は上方に反るように変形して、カップ鍔部Ｃ１に固着されたフィルムＦに圧接された状態になる。また、シール部３８の正面側は、カップ開口部に張設されたフィルムＦの上面に圧接され、フィルムを撓ませる。このように、シール部３８は、フィルムＦに対して圧接されるので、シール部３８と固定爪３５との挟持のみでは、シール部３８の反発力によりスパウトＳが傾きやすくなる。
【００５７】
一方、背壁部３４の先端に形成された支持部３６は、カップＣの縁部の側壁を、外側から食い込むように押圧する。また、穿孔部３７の基端部から背壁部３４の正面までの幅Ｗは、カップ鍔部Ｃ１の幅よりも小さいことから、背壁部３４は外側に反るように弾性変形し、カップ鍔部Ｃ１を外側から押圧する。このため、シール部３８がフィルムＦに圧接されることでスパウトＳの姿勢が外側へ傾きやすくなっても、支持部３６がカップＣの縁部の側壁を内側へ向かって押圧することでスパウトＳの姿勢を安定させることができる。
【００５８】
カップ内の飲料を飲む際には、図２２に示すように、スパウトＳ側にカップＣを傾ける。すると、導出孔３２を介して、飲料が注出口３３に導出されるので、注出口３３に口を付けて飲料を飲むことができる。
【００５９】
従って、第２実施形態によれば、以下の効果を得ることができる。
（５）第２実施形態では、スパウトＳは、フィルムＦに圧接されて、フィルムＦに形成された孔を閉塞するシール部３８を備えるので、その孔から飲料が漏出することを抑制することができる。また、背壁部３４から突出され、カップＣの縁部の側壁をカップ径方向内側へ向かって押圧する支持部３６を備えている。この該支持部３６がカップＣの縁部の側壁を押圧するので、シール部３８がフィルムＦに押し付けられることによるシール部３８の反発力が生じても、スパウトの姿勢を安定させることができる。
【００６０】
（６）第２実施形態では、固定爪３５により、カップ鍔部Ｃ１がシール部３８へ押圧されるので、シール部３８とフィルムＦとのシール性を高めることができる。また、固定爪３５とシール部３８とによりカップ鍔部Ｃ１が挟持されるため、スパウトＳの姿勢をより安定させることができる。
【００６１】
（７）第２実施形態では、装着位置でフィルムの上方に配置される台座３１に摘み部４０が形成されているため、スパウトＳを装着する際は、摘み部４０を指で把持し、そのままカップに差し込めばよい。このため、穿孔部３７等、カップＣ内の飲料に接触する箇所に手を触れずに、スパウトＳをカップに装着することができ、衛生的に好ましい。また、穿孔部３７によってフィルムＦに孔を形成したり、穿孔部３７と支持部３６とによってカップ側壁を支持させたりするために、スパウトを持ち替えたりする必要が無い。従って特別な操作を行うことなく、シール性を確保し、且つスパウトＳの姿勢を安定させることができる。
【００６２】
尚、上記各実施形態は以下のように変更してもよい。
・第１実施形態では、挟持片２０の押圧部２０ｂは、断面略半球状にしたが、断面が△形状又は台形状となるような形状でもよい。要は、押圧部２０ｂの基端側から先端側にかけて、その幅が狭くなる形状、先細り形状等で、カップ鍔部Ｃ１に点接触する形状であればよい。この構成によれば、押圧部２０ｂの先端とカップ鍔部Ｃ１とを当接させることで、押圧力を集中させることができる。
【００６３】
・第１実施形態では、挟持片２０は、その先端に押圧部２０ｂを備えるようにしたが、カップ鍔部Ｃ１に対する押圧力を押圧部２０ｂなしでも十分確保できる場合には、押圧部２０ｂを省略しても良い。
【００６４】
・上記各実施形態では、シール部１８は、装着位置にてカップ径方向内側に傾斜した形状にしたが、フィルムＦの可撓性によって傾斜角度が全周に亘って同じである形状にしてもよい。
【００６５】
・穿孔部１７，３７は、フィルムＦを穿孔可能な形状を有していればよく、例えば正面視において三角形状の穿孔刃でもよい。
・スパウトＳを把持しやすい形状であれば、摘み部４０は省略してもよい。
【００６６】
・上記実施形態では、カップＣには温かい飲料に限らず、冷たい飲料が封入されていてもよい。また、飲料でなくても、飲用可能な医薬品等の液体でもよい。
【符号の説明】
【００６７】
１１，３１…台座、１３，３３…注出口、１４，３４…背壁部、１５…爪部、１６，３６…支持部、１７，３７…穿孔部、１８，３８…シール部、２０…挟持片、２０ａ…変曲部、２０ｂ…押圧部、３５…固定爪、４０…摘み部、Ｃ…カップ、Ｆ…フィルム、Ｓ…スパウト。
【図１】
2013124130.tif 000003
【図２】
2013124130.tif 000004
【図３】
2013124130.tif 000005
【図４】
2013124130.tif 000006
【図５】
2013124130.tif 000007
【図６】
2013124130.tif 000008
【図７】
2013124130.tif 000009
【図８】
2013124130.tif 000010
【図９】
2013124130.tif 000011
【図１０】
2013124130.tif 000012
【図１１】
2013124130.tif 000013
【図１２】
2013124130.tif 000014
【図１３】
2013124130.tif 000015
【図１４】
2013124130.tif 000016
【図１５】
2013124130.tif 000017
【図１６】
2013124130.tif 000018
【図１７】
2013124130.tif 000019
【図１８】
2013124130.tif 000020
【図１９】
2013124130.tif 000021
【図２０】
2013124130.tif 000022
【図２１】
2013124130.tif 000023
【図２２】
2013124130.tif 000024